(57)【要約】【課題】総合的に料理全体を、料理の手順に合わせて子供が楽しみながら学ぶことができる仮想調理を行うことが可能な音声又は画像処理システムを提供する。【解決手段】仮想調理を行うための遊戯に使用される音声又は画像処理システムであり、異なった形態の仮想調理を各々行う複数の入力装置１１、１２、１３及び１４と、各々の入力装置１１、１２、１３及び１４から入力されたデータに基づいて、各入力装置１１、１２、１３及び１４に対応する音声又は画像処理を行い、その結果を出力再生装置４に出力する音声又は画像処理装置３と、を備えた。【選択図】 図１
2010240470.tif 000002
【特許請求の範囲】
【請求項１】
シンクを含むキッチンを疑似して構成された筐体と、前記筐体に組み込まれたまな板、コンロ、水道のいずれかを疑似した複数の入力装置と、前記複数の入力装置のそれぞれに設けられたスイッチとを備え、音声・画像処理装置に電気的に接続可能に構成された擬似キッチン形状入力装置と、
前記複数の入力装置のそれぞれに対応するデータ及びプログラムが格納され、前記音声・画像処理装置に電気的に接続可能に構成された情報記憶媒体と、
を含み、
前記擬似キッチン形状入力装置と前記情報記憶媒体に格納されたデータ及びプログラムとは、前記擬似キッチン形状入力装置と前記情報記憶媒体とを電気的に接続した前記音声・画像処理装置に、前記情報記憶媒体から読み出し展開したプログラムの実行により、遊戯者の操作で作動した前記スイッチからの信号に応じて対応するデータを前記情報記憶媒体から読み出し、読み出したデータに基づき作動した前記スイッチの状態に応じた画像・音声信号を前記音声・画像処理装置に接続された出力再生装置に出力する処理を行わせるように構成されてなることを特徴とするクッキング玩具入力システム。
【請求項２】
シンクを含むキッチンを疑似して構成された筐体と、前記筐体に組み込まれたまな板、コンロ、水道のいずれかを疑似した複数の入力装置と、前記複数の入力装置のそれぞれに設けられたスイッチとを備え、音声・画像処理装置に電気的に接続可能に構成された擬似キッチン形状入力装置と、
前記複数の入力装置のそれぞれに対応するデータ及びプログラムが格納され、前記音声・画像処理装置に電気的に接続可能に構成された情報記憶媒体と、
を含み、
前記擬似キッチン形状入力装置と前記情報記憶媒体に格納されたデータ及びプログラムとは、前記擬似キッチン形状入力装置と前記情報記憶媒体を前記音声・画像処理装置に電気的に接続したとき、前記音声・画像処理装置が前記情報記憶媒体から読み出し展開したプログラムの実行により、前記音声・画像処理装置に、遊戯者の操作で作動した前記スイッチからの信号に応じて対応するデータを前記情報記憶媒体から読み出し、読み出したデータに基づき作動した前記スイッチの状態に応じた画像・音声信号を前記音声・画像処理装置に接続された出力再生装置に出力する処理を行わせるように構成されてなり、
前記擬似キッチン形状入力装置と前記情報記憶媒体とを接続した前記音声・画像処理装置がクッキン玩具を構成するものであることを特徴とするクッキング玩具入力システム。
【請求項３】
シンクを含むキッチンを疑似して構成された筐体と、前記筐体に組み込まれたまな板、コンロ、水道のいずれかを疑似した複数の入力装置と、前記複数の入力装置のそれぞれに設けられたスイッチとを備え、音声・画像処理装置に電気的に接続可能に構成された疑似キッチン形状入力装置と、
前記複数の入力装置に対応する画像・音声データとプログラムが格納され、前記音声・画像処理装置に電気的に接続可能に構成されたた情報記憶媒体と、
を含み、
前記疑似キッチン形状入力装置および前記情報記憶媒体に格納されたデータ及びプログラムは、前記擬似キッチン形状入力装置と前記情報記憶媒体とを前記音声・画像処理装置に電気的に接続したとき、前記情報記憶媒体から読み出し展開されたプログラムの実行により前記音声・画像処理装置に、
前記作動したスイッチに対応するデータを前記情報記憶媒体から読み出す処理と、
前記読み出したデータを処理して、前記スイッチが作動した入力装置に対応する画像信号あるいは音声信号を生成する処理と、
前記生成された画像信号あるいは音声信号を前記音声・画像処理装置に接続された出力再生装置に出力する処理と、
を実行させるように構成されてなり、前記擬似キッチン形状入力装置と前記情報記憶媒体とを接続した前記音声・画像処理装置が前記疑似キッチン形状入力装置上での前記遊戯者により操作されている前記入力装置の作動に連携して対応する画像・音声を前記出力再生装置から出力するクッキン玩具を構成するものであることを特徴とするクッキング玩具入力システム。
【請求項４】
前記まな板を疑似した入力装置におけるまな板は、前記キッチンを疑似して構成された筐体に設けた支点に対して揺動可能に構成されてなり、玩具包丁で前記まな板を叩く操作を行うと当該まな板の揺動に応じて前記スイッチが作動し、前記作動したスイッチに応じた信号が前記音声・画像処理装置に入力されるように構成されてなることを特徴とする請求項１乃至３のいずれか記載のクッキング玩具入力システム。
【請求項５】
前記コンロを疑似した入力装置は、該入力装置におけるコンロに対する疑似調理用具の載置又は取り外し操作に応じて信号を前記音声・画像処理装置へ出力するスイッチと、前記音声・画像処理装置からの信号に応じて振動する振動部と、前記入力装置におけるコンロの火力を火力調節ダイヤルの操作によって調整する火力調節ツマミ状入力装置と、を備えてなり、
前記コンロを疑似した入力装置は、前記疑似調理用具が載置されると前記スイッチが作動して信号を前記音声・画像処理装置へ出力し、さらに前記火力調節ダイヤルの操作に応じて信号を前記音声・画像処理装置へ出力し、
前記音声・画像処理装置が、所定時間後に前記振動部に信号を送信して前記振動部を振動させ、沸騰を模擬する音を前記出力再生装置から発生するように構成されてなることを特徴とする請求項１乃至３のいずれか記載のクッキング玩具入力システム。
【請求項６】
前記水道を疑似した入力装置は、該水道に備えられたレバーに対する操作に応じて信号を前記音声・画像処理装置へ出力するスイッチを備え、前記操作に応じて作動したスイッチからの信号に基づいて前記音声・画像処理装置は前記情報記憶媒体から読み出されたデータを処理して当該処理したデータに対応する画像信号および音声信号を前記出力再生装置へ出力し、前記出力再生装置に水が流れ洗う画像が表示され、前記出力再生装置から水の音が発生されるように構成されてなることを特徴とする請求項１乃至３のいずれか記載のクッキング玩具入力システム。
【発明の詳細な説明】
【技術分野】
【０００１】
本発明は、仮想調理を行うための遊戯に使用される音声又は画像処理システムに関するものである。さらに詳しくは、入力装置から入力されたデータに基づいて、各入力装置に対応する音声又は画像処理を行い、その結果を出力再生装置に出力することで、仮想調理を実現させる音声又は画像処理システムに関する。
【背景技術】
【０００２】
従来、おままごとなど、仮想調理を行うための遊戯に使用される玩具として、種々の調理用器具や食材を真似たクッキング玩具がある。
【０００３】
コンロ付きのクッキング玩具としては、例えば、ＬＥＤを用いて発光させることで炎を擬似したものや、音声発生装置を内蔵させて、調理する音を出し、調理の臨場感を得るものなどがある。また、野菜や果物、肉などの食材側に、分割可能な細工を施し、玩具の包丁でこれらの食材を切る真似をして、食材が切れたように模倣するものもある。
【０００４】
近年では、入力装置から入力されたデータに基づいて所定の音声又は画像処理を行い、この結果を例えばテレビなどの出力再生装置に表示させる音声又は画像処理システムが、子供の知育玩具に利用されてきている。このような知育玩具としては、例えば、入力装置としてのタッチペンを用いてタブレット上に描いた絵や文字が、前記出力再生装置に表示されるものや、自動車のハンドルやギヤなどを模倣した入力装置を用い、このハンドルやギヤの操作によって、前記出力再生装置に表示された画像を見ながら仮想ドライブを行い、交通ルールに親しむことができるものなどがある。
【発明の開示】
【発明が解決しようとする課題】
【０００５】
しかしながら、前記コンロ付きのクッキング玩具は、鍋やフライパンをコンロに置くと、炎を擬似するためのＬＥＤが、これらの底に隠れてしまい、擬似効果が薄れてしまうという問題がある。また、調理する音が発生するクッキング玩具は、例えば、ただ単にジャージャーという音がするのみであり、臨場感に欠けるという問題もある。さらにまた、従来のクッキング玩具は、それぞれのスイッチの配置が煩雑である場合が多く、誤動作しやすいという欠点もある。
【０００６】
また、音声又は画像処理システムを利用した子供の知育玩具には、コンロ、まな板、水道、シンク等、いわゆるシステムキッチンとして、総合的に料理全体を子供が楽しみながら学ぶことができるものは提供されていないのが実状である。
【０００７】
そこで、本発明は、このような従来の問題点を解決することを課題とするものであり、総合的に料理全体を、料理の手順に合わせて子供が楽しみながら学ぶことができる仮想調理を行うことが可能な音声又は画像処理システムを提供することを目的とする。
【課題を解決するための手段】
【０００８】
この目的を達成するために、本発明は、仮想調理を行うための遊戯に使用される音声又は画像処理システムであって、異なった形態の仮想調理を各々行う複数の入力装置と、前記各々の入力装置から入力されたデータに基づいて、前記各入力装置に対応する音声又は画像処理を行い、その結果を出力再生装置に出力する音声又は画像処理装置と、を備えた音声又は画像処理システムを提供するものである。
【０００９】
この構成を備えた音声又は画像処理システムは、総合的に料理全体を料理の手順に合わせて、子供が楽しみながら学ぶことができる仮想調理を行うことができる。また、一つの入力装置からのみ、データを入力すれば、例えば、焼く、切る、洗う等、各入力装置に応じた単独の仮想調理を行うこともできる。
【００１０】
前記音声又は画像処理装置は、前記各入力装置から入力された第１の信号と、当該第１の信号の次に入力された第２の信号との時間間隔に応じて前記音声又は画像処理を行うことができる。
【００１１】
この構成により、例えば、仮想調理時間や、調理のタイミング等が変化し、仮想調理された料理の結果を現実に近い形で出力することができる。
【００１２】
前記各入力装置は一体的に配置されると共に、各入力装置への入力操作が干渉し合わないよう、少なくとも２つの入力装置の配置高さを変えて配置することができる。
【００１３】
この構成により、各入力装置に対する誤入力が発生することを防止することができる。
【００１４】
前記複数の入力装置の一つは、前記第１の信号と第２の信号の時間間隔に基づいて振動を行う振動機構を備えることができる。
【００１５】
また、前記振動機構を備えた入力装置は、コンロを擬似したコンロ状入力装置であり、載置された調理用具に前記振動を伝えると共に、前記調理用具の載置の有無によって入力のオン／オフを行い、当該調理用具が載置されている間は、オン状態が維持されるよう構成することもできる。
【００１６】
この構成により、前記コンロ状入力装置に調理用具を載置しておいた時間に応じて、調理用具自身を振動させることができる。したがって、より現実の調理に近づけることができ、臨場感が向上する。
【００１７】
そしてまた、前記振動機構を備えた入力装置は、前記当該調理用具と係合する係合部を有し、前記調理用具には、前記係合部と係合する被係合部を形成することができる。
【００１８】
この構成により、前記振動機構によって、前記調理用具が振動しても、この調理用具がコンロ状入力装置からずれたり、落ちたりすることを防止することができる。
【００１９】
また、前記係合部又は被係合部の一方が凹部からなり、他方が凸部から構成することができる。
【００２０】
そしてまた、前記複数の入力装置の他の一つは、入力の支点を中心から変位した位置に配置することができる。
【００２１】
この入力の支点が変位してなる入力装置は、まな板を擬似したまな板状入力装置であり、その上面の略中央部分に食材を載置する位置を示す凹部を形成することもできる。
【００２２】
この構成により、前記まな板状入力装置は、入力の支点から近い端部や中央付近を押した場合には、入力信号が入力され難くなる。すなわち、まな板状入力装置の凹部に仮想食材を置くという行為や、置いた食材に手を添えるという行為を行った際に入力信号が入力されることを防止することができる。一方、入力の支点から遠い端部を押した場合に、入力信号がスムーズに入力されることになる。すなわち、食材を切るという行為を行った際に、入力信号がスムーズに入力されることになるため、動作と異なった信号が入力されることを防止することができる。また、前記凹部を設けたことで、この部分に食材を置かせることができるため、入力信号が誤入力されることをさらに防止させることができる。
【００２３】
そしてまた、前記入力装置のさらに他の一つは、段階的に入力信号を変化させることができる。
【００２４】
また、前記段階的に入力信号を変化させる入力装置は、前記振動機構を備えた入力装置の振動を制御することができる。
【００２５】
さらにまた、前記段階的に入力信号を変化させる入力装置は、前記仮想コンロの火力を調節するツマミを擬似した火力調節ツマミ状入力装置を構成することができる。
【００２６】
この構成により、火力調節ツマミ状入力装置の調節、例えば、消火、弱火、中火、強火などを指定することで、食材への火の通り方を変化させることができる。また、指定された位置に留まった時間に応じて食材への火の通り方を変化させることができる。このため、より現実に近い調理を再現することができる。
【００２７】
そしてまた、前記複数の入力装置のさらに他の一つは、仮想の水道の水の放出及び停止を行う水道レバーを擬似した水道レバー状入力装置として構成することができる。
【００２８】
この水道レバー状入力装置は、入力操作毎に元の位置に戻るよう入力操作方向とは逆方向に付勢する付勢部材を備えることもできる。
【００２９】
この構成により、使用者は、例えば、上から下へ押すなど、一方向にのみ水道レバー状入力装置を動かすことで、入力を行うことができるため、操作が簡単となる。
【００３０】
前記水道レバー状入力装置は、前記まな板状入力装置の後方に配置されると共に、当該まな板状入力装置より高い位置に配置することができる。
【００３１】
このレイアウトにより、食材の切断がし易くなる。また、水道レバー状入力装置を操作した際に、誤ってまな板状入力装置に触れることが少なくなるため、入力信号が誤入力されることを防止することができる。
【００３２】
前記音声又は画像処理装置は、前記まな板状入力装置から入力された第１の信号と第２の信号の時間間隔に応じて、仮想調理の食材の切れ方を制御することができる。
【００３３】
また、前記音声又は画像処理装置は、前記火力調節ツマミ状入力装置から入力された第１の信号と第２の信号の時間間隔に応じて、仮想調理の食材への火の通り方を制御することができる。
【００３４】
そしてまた、前記音声又は画像処理装置は、前記水道レバー状入力装置から入力された第１の信号と第２の信号の時間間隔に応じて、仮想水道水の水量を制御することができる。
【００３５】
らにまた、前記複数の入力装置のさらに他の一つは、前記出力再生装置に表示されたメニューの内容を選択する選択ボタンと、選択ボタンで選択した内容を決定する決定ボタンから構成することができる。
【００３６】
前記選択ボタン及び決定ボタンは、前記コンロ状入力装置、前記まな板状入力装置及び前記水道レバー状入力装置より低い位置に配置することができる。この構成により、入力信号の誤入力が生じることを防止することができる。
【００３７】
また、前記各入力装置は、一つの仮想調理台に一体的に配置されてなり、前記仮想調理台は、前記音声又は画像処理装置に対し着脱可能とすることができる。
【００３８】
そしてまた、本発明は、上述した各入力装置を一つの筐体に配置した入力システムを提供するものである。
【００３９】
また、本発明は、入力装置と、当該入力装置から入力されたデータに基づいて音声又は画像処理を行い、その結果を出力再生装置に出力する音声又は画像処理装置と、を備え、仮想調理を行うための遊戯に使用される音声又は画像処理システムの周辺機器であって、前記入力装置は、コンロを擬似した形状を備え、調理用具の載置の有無によって入力のオン／オフを行い、前記調理用具の載置時間に応じたデータを前記音声又は画像処理装置に入力する周辺機器を提供するものである。
【００４０】
そしてまた、前記周辺器機は、前記調理用具の載置時間に応じて振動する振動機構をさらに備えることができる。
【００４１】
また、前記周辺器機は、前記仮想コンロの火力を調節する信号を入力する第２の入力装置を備えることもできる。
【００４２】
さらにまた、本発明は、入力装置と、当該入力装置から入力されたデータに基づいて音声又は画像処理を行い、その結果を出力再生装置に出力する音声又は画像処理装置と、を備え、仮想調理を行うための遊戯に使用される音声又は画像処理システムの周辺機器であって、前記入力装置は、まな板を擬似した形状を備え、入力の支点を中心から変位した位置に配置した周辺機器を提供するものである。
【００４３】
そしてまた、本発明は、入力装置と、当該入力装置から入力されたデータに基づいて音声又は画像処理を行い、その結果を出力再生装置に出力する音声又は画像処理装置と、を備え、仮想調理を行うための遊戯に使用される音声又は画像処理システムの周辺機器であって、前記入力装置は、仮想の水道の水の放出及び停止を行う水道レバーを擬似した形状を備え、入力操作毎に元の位置に戻るよう入力操作方向とは逆方向に付勢する付勢部材を有した周辺機器を提供するものである。
【００４４】
また、本発明は、上述した音声又は画像処理装置を実現するための記憶媒体を提供するものである。
【００４５】
そしてまた、本発明は、異なった形態で入力可能に構成される複数の入力装置が一体的に配された総合入力装置と、前記各入力装置から入力されたデータに基づいて、前記各入力装置に対応する音声又は画像処理を行い、その結果を出力再生装置に出力する音声又は画像処理装置とを備え、前記総合入力装置では、操作者の正面方向に対して並べて前記複数の入力装置が配されており、操作者に対して奥側の入力装置は、手前側の入力装置よりも高い位置に形成された音声又は画像処理システムを提供するものである。
【発明の効果】
【００４６】
以上説明したように、本発明に係る音声又は画像処理システムは、異なった形態の仮想調理を各々行う複数の入力装置と、前記各々の入力装置から入力されたデータに基づいて、前記各入力装置に対応する音声又は画像処理を行い、その結果を出力再生装置に出力する音声又は画像処理装置を備えているため、使用者が入力したデータに基づいて仮想調理が展開し、また出力再生装置に表示された映像や音声にしたがって、楽しく現実に則した双方向性の仮想調理を行うことができる。この結果、総合的に料理全体を料理の手順に合わせて、子供が楽しみながら学ぶことができる。また、一つの入力装置からのみ、データを入力すれば、洗う、切る、煮る・焼く等、各入力装置に応じた単独の仮想調理を行うこともできる。
【図面の簡単な説明】
【００４７】
【図１】本発明の本実施の形態に係る音声又は画像処理システムを出力再生装置に接続した状態を示す斜視図である。
【図２】本発明の本実施の形態に係る音声又は画像処理システムを出力再生装置に接続した状態を示すブロック図である。
【図３】本発明の本実施の形態に係る入力システムを示す平面図である。
【図４】図３の右側面図である。
【図５】図３の左側面図である。
【図６】図３の正面図である。
【図７】本発明の実施の形態に係るコンロ状入力装置のコンロ載置部を外した状態を示す平面図である。
【図８】図７に示すVIII−VIII線に沿った断面図である。
【図９】図７に示すVN−VN線に沿った断面図である。
【図１０】図３のＸ−Ｘ線に沿った断面図である。
【図１１】図１０に示すXI−XI線に沿った断面図である。
【図１２】図１０に示すXII−XII線に沿った断面図である。
【図１３】本発明の実施の形態に係る水道レバー状入力装置付近の正面図であり、一部を破断した状態を示す図である。
【図１４】図１３に示すXIV−XIV線に沿った断面図である。
【図１５】図３に示すXV−XV線に沿った断面図である。
【図１６】本発明の本実施の形態に係る音声又は画像処理システムで使用されるフライパンの平面図である。
【図１７】図１６に示すXVII−XVII線に沿った断面図である。
【発明を実施するための最良の形態】
【００４８】
次に、本発明の実施の形態に係る仮想調理を行うための音声又は画像処理システムの一例について図面を参照して説明する。
【００４９】
図１は、本実施の形態に係る音声又は画像処理システムを出力再生装置に接続した状態を示す斜視図、図２は、本実施の形態に係る音声又は画像処理システムを出力再生装置に接続した状態を示すブロック図、図３は、本実施の形態に係る入力システムを示す平面図、図４は、図３の右側面図、図５は、図３の左側面図、図６は、図３の正面図、図７は、コンロ状入力装置のコンロ載置部を外した状態を示す平面図、図８は、図７に示すVIII−VIII線に沿った断面図、図９は、図７に示すVN−VN線に沿った断面図、図１０は、図３のＸ−Ｘ線に沿った断面図、図１１は、図１０に示すXI−XI線に沿った断面図、図１２は、図１０に示すXII−XII線に沿った断面図、図１３は、水道レバー状入力装置付近の正面図であり、一部を破断した状態を示す図、図１４は、図１３に示すXIV−XIV線に沿った断面図、図１５は、図３に示すXV−XV線に沿った断面図、図１６は、本実施の形態に係る音声又は画像処理システムで使用されるフライパンの平面図、図１７は、図１６に示すXVII−XVII線に沿った断面図である。
【００５０】
図１〜図１５に示すように、本実施の形態に係る音声又は画像処理システム１は、複数の入力装置が一体に配置された入力システム２と、入力システム２からの入力信号（データ）を受け取り、このデータに基づいて、前記各入力装置に対応する音声又は画像処理を行い、その結果を出力再生装置４に出力する音声又は画像処理装置３と、を備えて構成されている。
【００５１】
入力システム２は、一つの筐体２Ａ上に、コンロを擬似したコンロ状入力装置１１と、前記コンロの火力を調節するツマミを擬似した火力調節ツマミ状入力装置１２と、水道のレバーを擬似した水道レバー状入力装置１３と、まな板を擬似したまな板状入力装置１４と、４つの異なった入力ボタン１５Ａ、１５Ｂ、１５Ｃ及び１５Ｄからなる選択ボタン１５と、選択ボタン１５によって選択した内容を決定する決定ボタン１６と、入力ペン１７を保持する入力ペンホルダ１８と、が配置されている。
【００５２】
コンロ状入力装置１１は、筐体２Ａの奥右側（図３参照）に配置され、その中央に、例えば鍋やフライパン等の調理用具が載置された際にオン状態となり、調理用具が載置されていない際にはオフ状態となるコンロスイッチ２１が配置されている。
【００５３】
コンロスイッチ２１の周りには、リング状の凸部２２が設けられており、この凸部２２には、前記調理用具を載置する載置部２２Ａ、２２Ｂ、２２Ｃ及び２２Ｄがほぼ等間隔で設けられている。載置部２２Ａと２２Ｂとの間と、載置部２２Ｃと２２Ｄとの間には、前記載置された調理用具を振動させる振動部２３Ａ及び２３Ｂが配置されている。
【００５４】
コンロスイッチ２１は、特に図９に示すように、断面略Ｔ字状を有しており、基盤２７によって上下移動可能に支持されている。このコンロスイッチ２１は、コイルばね２６の付勢力によって、通常は上方に付勢されている。このコンロスイッチ２１の下端は、スイッチ本体２４にスイッチ端子２５を介して接続されており、コンロスイッチ２１が載置した調理用具の重量によって下げられた際に、スイッチ端子２５を押し下げ、スイッチ本体２４をオン状態にする。一方、調理用具が取り除かれた際には、コイルばね２６がその付勢力によって、コンロスイッチ２１を元の位置に戻し、スイッチ本体２４は、オフ状態となる。このスイッチ本体２４のオン／オフ状態と、このオン／オフ状態の時間の長さを示すデータは、後に詳述する音声又は画像処理装置３の制御回路５に入力される。
【００５５】
なお、このコンロ状入力装置１１は、調理用具の載置の有無によって、スイッチのオン／オフが行われるように構成されているため、現実の調理に近い形で仮想調理を行うことができる。
【００５６】
また、載置部２２Ａ、２２Ｂ、２２Ｃ及び２２Ｄの内側と、コンロスイッチ２１との間には、後に詳述するフライパン８０（図１６及び図１７参照）の底面外側に形成されたリング状の凸部８１が係合するリング状の溝２０が形成されている。
【００５７】
振動部２３Ａ及び２３Ｂは、基盤２８の両端に接続されている。この基盤２８は、モータ２９の回転に伴って伸縮するコイルばね３０によって、図８に示すように、その中心を支点として揺動し、この揺動によって、振動部２３Ａ及び２３Ｂを上下に振動させるよう構成されている。
【００５８】
このモータ２９は、後に詳述する火力調節ツマミ状入力装置１２から音声又は画像処理装置３の制御回路５に入力されたデータが所定の値を満たした時に、モータ２９の駆動を制御する制御部（図示せず）に駆動信号が入力され、振動部２３Ａ及び２３Ｂを振動させるように設計されている。
【００５９】
このように、コンロ状入力装置１１は、鍋やフライパンなどの調理用具を載置した後、ある一定の時間が経過した際に、振動部２３Ａ及び２３Ｂを実際に上下に振動させ、これによって、前記調理用具を実際に振動させて、音を発生させる構成を備えているため、より自然な音を発生させることができる。また、鍋やフライパンなどが実際に振動するため、一層臨場感の高い仮想調理を行うことができる。
【００６０】
火力調節ツマミ状入力装置１２は、筐体２Ａの手前側（使用者と向き合う側）の側面に設けられている。この火力調節ツマミ状入力装置１２は、そのほぼ中央に火力調節ダイヤル３１が設けられている。この火力調節ダイヤル３１は、特に図６に示すように、フロントパネル３１Ａに表示された強３２Ａ、弱３２Ｂ及び消火３２Ｃの各位置に合わせることができるよう支軸３３を中心に回転可能に構成されている。
【００６１】
また、火力調節ダイヤル３１は、特に図１１に示すように、その底面に、略半円径状の溝３４Ａ、３４Ｂ及び３４Ｃが形成されている。この溝３４Ａの右側には、図１２に示すスイッチボタン６１Ａ及び６１Ｂを押圧する突起３８が形成されている。
【００６２】
フロントパネル３１Ａを支持している基盤３５の裏面には、アーム３６の一端が固定されている。このアーム３６の略中央部には、溝３４Ａ、３４Ｂ及び３４Ｃに嵌合する略半円径状の凸部３６Ａが形成されている。また、アーム３６の他端には、一端が基盤３５の裏面に固定されたコイルばね３７の他端が固定されている。このアーム３６は、コイルばね３７により、常に下方に付勢されている。このコイルばね３７の付勢力によって、凸部３６Ａは、火力調節ダイヤル３１が回転しない限り、嵌合された各溝３４Ａ（３４Ｂ及び３４Ｃ）から外れることが防止される。
【００６３】
この構成を備えた火力調節ツマミ状入力装置１２は、火力調節ダイヤル３１を例えば、消火３２Ｃの位置から弱３２Ｂの位置に合わせるように回転させると、アーム３６がコイルばね３７の付勢力に逆らって溝３４Ｃから外れ、溝３４Ｂに嵌合する。この時、突起３８は、スイッチボタン６１Ｂを押圧し、火力調節ダイヤル３１が弱３２Ｂの位置にあるという信号及びその時間の長さが、後に詳述する音声又は画像処理装置３の制御回路５に入力される。また、火力調節ダイヤル３１を、消火３２Ｃの位置から強３２Ａの位置に合わせた場合は、突起３８が、スイッチボタン６１Ａを押圧し、火力調節ダイヤル３１が強３２Ａの位置にあるという信号及びその時間の長さが、制御回路５に入力される。なお、弱３２Ｂから強３２Ａに合わせた場合、強３２Ａから弱３２Ｂに合わせた場合も同様に、それぞれを示す信号及び時間の長さ制御回路５に入力される。
【００６４】
なお、この火力調節ツマミ状入力装置１２から音声又は画像処理装置３の制御回路５に入力されたデータが所定の条件を満たした際に、これに基づいて、前述したモータ２９の駆動が行われ、振動部２３Ａ及び２３Ｂを振動させるように構成されている。
【００６５】
水道レバー状入力装置１３は、特に図３に示すように、筐体２Ａの奥側ほぼ中央に配置されている。水道レバー状入力装置１３の左側には、水道の蛇口４１が配置されている。また、水道レバー状入力装置１３と、蛇口４１の手前には、シンク４２が配置されている。
【００６６】
水道レバー状入力装置１３は、スイッチカバー４４から延出した操作レバー４３を備えている。操作レバー４３は、図１４に示す矢印Ｘ方向に支軸４５を支点として回動するよう構成されている。この支軸４５には、操作レバー４３を常に上方に付勢するコイルばね４６が設けられている。このコイルばね４６によって、操作レバー４３は、矢印Ｘ方向に押された後、使用者が手を放すと、すぐに元の位置に戻ることになる。このため、水道レバー状入力装置１３は、入力のオンもオフも、操作レバー４３を矢印Ｘ方向に押し下げることで行われることになる。このため、操作が簡単である。
【００６７】
操作レバー４３のスイッチカバー４４の内部には、支軸４５と共に回転する回転盤４７が固定されている。この回転盤４７の外周には、凸部４８が形成されており、操作レバー４３を矢印Ｘ方向に押し下げた際に回転する支軸４５の回転に伴って移動し、スイッチカバー４４内に設けられたスイッチボタン４９を押し下げる。また、使用者が手を放し、操作レバー４３が元の位置に戻されると、スイッチボタン４９も元の位置に復帰する。このスイッチボタン４９は、次の押し下げが行われるまで、現状の状態（オン状態であれば、オン状態のまま）が維持され、この状態と、オンの状態であれば、その経過時間が、後に詳述する音声又は画像処理装置３の制御回路５に入力される。
【００６８】
まな板状入力装置１４は、特に図３に示すように、筐体２Ａの水道レバー用入力装置１３の手前、すなわちシンク４２の手前側に配置されている。このまな板状入力装置１４は、特に図１３に示すように、まな板本体５１と、まな板本体５１を下から支持する支持基盤５２を備えている。このまな板本体５１は、その中央からやや左側に、仮想の食材を置く目安となる凹部５３が形成されている。
【００６９】
また、まな板本体５１は、前記中央から左側に偏位した位置を支点５６として上下に揺動可能に設けられている。このまな板本体５１の底面の中央から右側に偏位した位置には、まな板本体５１を上方に向けて付勢するコイルばね５７が設けられている。このコイルばね５７は、下方に向けて押されたまな板本体５１を上方に押上げて元の位置に戻す役割を果たしている。
【００７０】
このまな板本体５１の右側底面には、支持基盤５２に設けられたスイッチボタン５５を押圧する突起５４が形成されている。すなわち、この突起５４は、まな板本体５１が揺動した際にスイッチボタン５５を押圧するよう構成されている。このスイッチボタン５５は、突起５４に押圧された際にオン状態となり、押圧が開放された際にオフ状態となる。このスイッチボタン５５の状態及び、スイッチングの間隔は、後に詳述する音声又は画像処理装置３の制御回路５に入力される。
【００７１】
このように、まな板本体５１は、揺動の支点が中央より左側にあるため、まな板本体５１の中央部に触れたり、仮想の食材を凹部５３上に置いたり、右利きの使用者が、この食材を玩具の包丁などで切る動作をする際に左手を添えるなど、食材を切るという動作を行っていない場合に、スイッチボタン５５が押されることを防止することができる。また、右利きの使用者は、食材を切る際に、まな板本体５１の右側を玩具の包丁などで軽く叩く動作を行うが、この動作の際に、突起５４によってスイッチボタン５５が確実に押されることになる。
【００７２】
なお、このまな板状入力装置１４は、右利きの使用者用に設計されているため、揺動の支点を中央より左側に設定したが、左利きの使用者用に設計する場合は、揺動の支点を中央より右側に設定すればよい。
【００７３】
ここで、このまな板状入力装置１４は、水道レバー状入力装置１３より低い位置に配置されている。このため、水道レバー状入力装置１３を操作しようとした際に、まな板状入力装置１４を誤って操作することを減少させることができる。このため、後に詳述する音声又は画像処理装置３に誤った信号が入力されることを防止することができる。
【００７４】
選択ボタン１５は、コンロ状入力装置１１、水道レバー状入力装置１３及びまな板状入力装置１４が配置されている面から一段低くなった位置に配置されている。この選択ボタン１５を構成する入力ボタン１５Ａ、１５Ｂ、１５Ｃ及び１５Ｄは、その下端が筐体２Ａの底面から突出しており、後に詳述する音声又は画像処理装置３の本体１００上に形成された入力ボタン７１Ａ、７１Ｂ、７１Ｃ（及び７１Ｄ：図示せず）を直接押圧することができるようになっている。
【００７５】
決定ボタン１６も選択ボタン１５と同様に、一段低くなった位置に配置されており、後に詳述する音声又は画像処理装置３の本体１００上に形成された入力ボタン７２を直接押圧することができるようになっている。
【００７６】
この選択ボタン１５及び決定ボタン１６は、コンロ状入力装置１１、水道レバー状入力装置１３及びまな板状入力装置１４が配置されている面から一段低くなった位置に配置されているため、コンロ状入力装置１１、水道レバー状入力装置１３及びまな板状入力装置１４を操作しようとした際に、誤って選択ボタン１５や決定ボタン１６が押されることを防止することができる。また、選択ボタン１５や決定ボタン１６を操作しようとした際に、誤ってコンロ状入力装置１１、水道レバー状入力装置１３及びまな板状入力装置１４が押されることも防止することができる。
【００７７】
入力ペンホルダ１８も、コンロ状入力装置１１、水道レバー状入力装置１３及びまな板状入力装置１４が配置されている面から一段低くなった位置に配置されている。この入力ペンホルダ１８は、音声又は画像処理装置３の蓋部１０１の内側に形成されているセット部１０２の所定位置を指定する際に使用する入力ペン１７を収納する。
【００７８】
なお、これらの入力装置１１、１２、１３、１４、１５及び入力ペンホルダ１８が配置された筐体２Ａは、その両側に設けられた固定部４０Ａ及び４０Ｂによって、音声又は画像処理装置３の本体１００に着脱可能に固定される。
【００７９】
図１６及び図１７に示すフライパン８０は、その外側底面に、リング状の凸部８１が形成されている。この凸部８１は、コンロ状入力装置１１に形成されたリング状の溝２０に係合するよう構成されている。この凸部８１と溝２０とが係合することで、振動部２３Ａ及び２３Ｂが振動してフライパン８０が振動した際に、フライパン８０がコンロ状入力装置１１からずれたり、落ちたりすることを防止することができる。
【００８０】
音声又は画像処理装置３は、図２に示すように、各入力装置１１、１２、１３、１４、１５及び１６及び、後に詳述するセット部１０２から出力された信号を受け取り、所望の処理を行う制御回路５と、制御回路５から入力されたデータに基づいてプログラムを展開するＲＯＭ（読み出し専用記憶装置）６と、ＲＯＭ６から呼び出した内容を映像信号及び音声信号に変換する映像回路７及び音声回路８を備えて構成されている。
【００８１】
この音声又は画像処理装置３は、入力システム２が配置された筐体２Ａを固定する本体１００と、本体１００に設けられた蓋部１０１を備えている。この本体１００は、入力システム２と電気的に接続されており、各入力装置１１、１２、１３、１４、１５、１６及び後に詳述するセット部１０２から入力された信号データが制御回路５に入力されるように構成されている。
【００８２】
蓋部１０１のセット部１０２には、仮想調理のプログラムの内容に沿った絵や文字などが描かれているブック１０３が設置可能となっている。ここで、使用者がブック１０３内の所望位置を入力ペン１７で指定すると、その座標データが制御回路５に入力される。また、ブック１０３の縁部には、複数の凹部１０５が形成されており、この凹部１０５に対応するセット部１０２には、これらの凹部１０５を通過した光を検知することによりブック１０３のページを検出する検出部１０４が設けられている。この検出部１０４によって検出されたページデータは、制御回路５に入力される。
【００８３】
このように、音声又は画像処理装置３の蓋体１０１の内側であるセット部１０２も、入力装置としての役割を持っている。
【００８４】
一方、ＲＯＭ６には、ブック１０３の各ページの各座標に対し、ブック１０３に印刷された内容、又はこれに関する情報が割り当てられ、記憶されている。このＲＯＭ６から前記座標データ及びページデータと一致する内容を呼び出し、映像回路７及び音声回路８によって映像信号及び音声信号を、出力再生装置４の表示装置９及びスピーカ１０に出力する構成となっている。
【００８５】
また、各入力装置１１、１２、１３、１４、１５及び１６から制御回路５に入力されたデータに基づいた内容をＲＯＭ６から呼び出し、映像回路７及び音声回路８によって映像信号及び音声信号を、出力再生装置４の表示装置９及びスピーカ１０に出力する構成となっている。
【００８６】
なお、本実施の形態では、ＲＯＭ６は、ブック１０３の下端に設けられており、このＲＯＭ６のコネクタ部（図示せず）を蓋体１０１の所定位置に設けられたコネクタ部（図示せず）に接続する構成とした。
【００８７】
次に、本実施の形態に係る音声又は画像処理システム１の具体的動作について説明する。
【００８８】
先ず、本実施の形態に係る音声又は画像処理システム１を用いて、所望の仮想料理を作る遊戯を行う場合について説明する。
【００８９】
入力システム２を音声又は画像処理装置３の本体１００にセットし、両者を電気的に接続する。次に、ＲＯＭ６が設けられたブック１０３を蓋体１０１のセット部１０２の所定位置にセットし、ＲＯＭ６を音声又は画像処理装置３に電気的に接続する。また、音声又は画像処理装置３をテレビなどの出力再生装置４に電気的に接続する。
【００９０】
次に、ブック１０３の中の作りたいメニューを入力ペン１７でクリックすると、そのメニューが印刷されているページデータと、クリックした座標データが、セット部１０２から制御回路５に入力される。ＲＯＭ６では、この両データに一致する内容を呼び出し、映像回路７及び音声回路８によって映像信号及び音声信号を、出力再生装置４の表示装置９及びスピーカ１０に出力する。この動作によって、メニューの作り方が、出力再生装置４に表示されると共に、音声による説明が開始される。
【００９１】
この出力再生装置４の表示及び音声にしたがって仮想調理を開始する。
【００９２】
先ず、仮想の食材を洗う指示が出された場合は、使用者は、水道レバー状入力装置１３の操作レバー４３を図１４に示す矢印Ｘ方向に押し下げる。この時、水道レバー状入力装置１３は、その手前に配置されたまな板状入力装置１４より高い位置に配置されているため、誤ってまな板状入力装置１４を操作してしまうことが防止される。この動作によって、スイッチボタン４９が回転板４７の凸部４８に押されて、オン状態となる。その後、操作レバー４３は、コイルばね４６によって元の位置に戻されるが、次に操作レバー４３によりスイッチボタン４９が押されるまでは、このオン状態が続く。このオン信号は、制御回路５に入力され、ＲＯＭ６、映像回路７及び音声回路８を経て、出力再生装置４の表示装置９に、水道から水が流れ、この水によって食材を洗う映像を映し出し、食材を洗う音がスピーカ１０から発生する。この映像及び音声に合わせて使用者は、例えば、プラスチックなどから形成された玩具の食材を洗う擬似的な動作を行うことができる。
【００９３】
ここで、制御回路５は、水道レバー状入力装置１３から入力されたオン状態を示す第１の信号と、次に入力される第２の信号（オフ状態を示す信号）との間隔を測定し、これに基づいた映像及び音声が出力再生装置４に出力される。
【００９４】
具体的には、第１の信号と第２の信号の間隔が短いと、少量の水が水道から流れる映像となり、間隔が長いと多量の水が水道から流れる映像となる。また、前記間隔が適度な長さであれば、適量の水が流れる映像になる。
【００９５】
一定時間が経過すると、水道を止めて食材を洗うことを終了する指示が出されるので、この指示にしたがって、操作レバー４３を図１４に示す矢印Ｘ方向に押し下げる。この動作によって、スイッチボタン４９が回転板４７の凸部４８に押されて、オフ状態となる。ここで、このオフ信号が制御回路５に入力され、出力再生装置４は、水道から水が流れる映像表示と音声を停止し、使用者に次の指示を与える。
【００９６】
次に、前記工程で洗った仮想の食材を切る指示が出された場合は、使用者は、この食材をまな板状入力装置１４のまな板本体５１上の中央よりやや左側に形成された凹部５３上に置く。出力再生装置４の表示装置９には、この映像が映し出される。使用者は、出力再生装置４の指示にしたがって、食材を玩具の包丁で切るため、食材に手を添える。この時、まな板本体５１は、その揺動の支点がまな板本体５１の中央部から左側に偏位した位置にあるため、この動作でまな板本体５１が揺動することを防止することができる。このため、「食材を切る」という動作を行っていない時に、制御回路５にこの種の信号が入力される、いわゆる誤入力が行われることを防止することができる。
【００９７】
使用者が、食材を切るため、まな板本体５１を玩具の包丁で叩くと、この動作に基づいてまな板本体５１が揺動し、突起５４によってスイッチボタン５５が押される。スイッチボタン５５が押されると、この信号が制御回路５に入力される。この制御回路５では、このスイッチボタン５５が押された際に入力される第１の入力信号と、スイッチボタン５５が次に押された際に入力される第２の入力信号との時間間隔（タイミング）を測定し、この時間間隔に応じて食材の切れた大きさを変化させる処理を行い、これに応じた内容をＲＯＭ６から呼び出し、映像回路７及び音声回路８を経て、この映像及び音声を出力再生装置４に出力する。すなわち、この時間間隔に応じて、表示装置９に表示される食材の切れ方が変化する。
【００９８】
具体的には、例えば、使用者が仮想食材を玩具の包丁で切る（まな板本体５１を叩く）間隔が２秒以内であれば食材は細く切れ、２秒〜４秒であれば普通の太さに切れ、４秒を超えると太く切れるようにプログラムされている。したがって、現実に近い調理を行うことができる。
【００９９】
次に、仮想食材をフライパンで焼くという指示が出された場合は、使用者は、フライパン８０をコンロ状入力装置１１の上に載置する。このフライパン８０の載置によりコンロスイッチ２１が押され、これによってスイッチ本体２４からオン信号が制御回路５に入力される。
【０１００】
次いで、出力再生装置４からの指示にしたがって、火力調節ツマミ状入力スイッチ１２の火力調節ダイヤル３１を回して強３２Ａに合わせる。これによって、スイッチボタン６１Ａが突起３８によって押され、この信号が制御回路５に入力される。また、制御回路５は、このスイッチボタン６１Ａが押された際に入力される第１の入力信号と、次に入力される第２の信号（例えば、スイッチボタン６１Ｂが押された信号、あるいは火力調節ダイヤル３１が、消火３２Ｃに戻された信号）が入力されまでの時間間隔（タイミング）を測定し、この時間間隔に応じて食材に対する火の通り方を変化させる処理を行い、これに応じた内容をＲＯＭ６から呼び出し、映像回路７及び音声回路８を経て、この映像及び音声を出力再生装置４に出力する。すなわち、火力調節ダイヤル３１の位置及び前記時間間隔に応じて表示装置９に表示される食材の火の通り方が変化する。
【０１０１】
具体的には、例えば、火力調節ダイヤル３１が、強３２Ａの位置のままであると、早く焦げてしまい、弱３２Ｂの位置のままであると、食材に火が通るのに時間が長くかかり、長時間に亘って消火３２Ｃの位置にしないと、焦げすぎて炭になり、すぐに消火３２Ｃの位置にすると生焼けになる映像が表示される。また、強３２Ａと弱３２Ｂを適当に切り換え、時間も適当に行うと、ほどよい焼け具合で出来上がった料理の映像が表示される。
【０１０２】
また、この動作の途中で、フライパン８０をコンロ状入力装置１１から持上げて、コンロスイッチ２１を元の位置に戻し、スイッチ本体２４からオフ信号が制御回路５に入力されると、フライパン８０の中身がひっくり返される映像が表示装置９に映される。この時も、前記火力調節ダイヤル３１の位置及び前記時間間隔に応じて、生焼けの状態でひっくり返る映像や、焦げた状態でひっくり返る映像、ほどよい焼け具合でひっくり返る映像が、表示装置９に映し出される。この後、さらに加熱を行う場合は、フライパン８０を再びコンロ状入力装置１１に載置する。
【０１０３】
一方、制御回路５は、火力調節ダイヤル３１の位置及び前記時間間隔を測定し、ある条件を満たした際に、モータ２９を駆動させる信号を図示しないモータ制御部にフィードバックしてモータ２９を駆動させ、振動部２３Ａ及び２３Ｂを振動させる。これによって、コンロ状入力装置１１に載置されたフライパン８０が振動し、自然な音が発生する。この時、コンロ状入力装置１１には、リング状の溝２０が形成されており、フライパン８０の底面には、この溝２０に係合する凸部８１が形成されているため、フライパン８０が振動しても、コンロ状入力装置１１からずれたり、落ちたりすることを防止することができる。
【０１０４】
次に、出力再生装置４からの指示にしたがって味付けをする際は、この指示にしたがって選択ボタン１５の入力ボタン１５Ａ〜１５Ｄを押す。これらの入力ボタン１５Ａ〜１５Ｄは、それぞれ塩、こしょう、砂糖、醤油などの調味料が割り当てられており、入力ボタン１５Ａ〜１５Ｄを押す回数で、その量の調節を行うようになっている。
【０１０５】
味付けが終わると、出力再生装置４から決定ボタン１６を押すように指示される。この決定ボタン１６を押すことにより、表示装置９上では、自動的に盛り付けが行われ、料理が完成する。
【０１０６】
次に、音声又は画像処理装置３は、前記工程で調理した料理に対する試食会のプログラムを実行し、この結果を出力再生装置４に出力する。この時、前記料理の工程で制御回路５に入力された各信号に基づいて、料理の評価が行われる。
【０１０７】
試食会が終了すると、音声又は画像処理装置３は、食器を洗う後片付けのプログラムが実行し、出力再生装置４から後片付けの指示が出される。使用者は、この指示にしたがって水道レバー状入力装置１３を押すと、表示装置９に食器を洗っている映像が表示され、その音声がスピーカ１０から発生される。
【０１０８】
このように、本実施の形態に係る音声又は画像入力システム１は、食材を洗う、切る、焼く・煮る、味付けする、盛り付けるなど、一連の調理を現実に沿って総合的に使用者が楽しみながら学ぶことができる。
【０１０９】
また、調理の途中で、作業が正しく行えたり、うまく行えた場合は、出力再生装置４に表示されたキャラクタが使用者をほめ、一方、作業がうまく行えなかった場合には、使用者を励ましたり、アドバイスを与えたりするため、双方向的な学習を行うことができる。
【０１１０】
なお、本実施の形態では、全ての入力装置を使用して所望の料理を作る場合について説明したが、これに限らず、本発明に係る音声又は画像入力システム１は、各入力装置を単品で使用することもできる。
【０１１１】
例えば、コンロ状入力装置１１を使用して鍋でお湯を沸かす場合、ブック１０３のコンロが印刷されている部分（あるいはそれに代わるキャラクタが印刷されている部分）を指定すると、そのページデータ及び座標データが制御回路５に入力され、このデータに一致した内容がＲＯＭ６から呼び出され、映像回路７及び音声回路８を経て、その内容の画像及び音声が出力再生装置４に出力される。
【０１１２】
次に、使用者は、出力再生装置４の指示にしたがって、コンロ状入力装置１１に鍋（図示せず）を載置し、火力調節ツマミ状入力装置１２の火力調節ダイヤル３１を所定位置（強３２Ａ又は弱３２Ｂ）に回すと、しばらくして鍋の中の水が沸騰し始める様子が、出力再生装置４に表示される。この時、制御回路５は、火力調節ダイヤル３１の位置及び信号の時間間隔を測定し、これがある条件を満たすと、前述したように振動部２３Ａ及び２３Ｂを振動させて、鍋を振動させ、沸騰したことを模倣した自然な音を発生させる。ここで、この鍋の底面にも、フライパン８０の底面に形成された凸部８１と同様の凸部を形成すれば、この振動によって鍋がコンロ状入力装置１１からずれたり、落ちたりすることがない。お湯が沸いたら出力再生装置４の指示にしたがって火力調節ダイヤル３１を消火３２Ｃに合せ、コンロの火を消す。
【０１１３】
この作業が終わった後は、例えば、出力再生装置４に表示されたキャラクタが、このお湯でお茶を飲む場面が映し出されるという演出を行うこともできる。
【０１１４】
また、水道レバー状入力装置１３は、食材や食器を洗う作業の他、所定量の水を鍋などに入れる作業も行うことができる。この場合も、入力ペン１７によりブック１０３の水道が印刷されている部分（あるいはそれに代わるキャラクタが印刷されている部分）を指定し、出力再生装置４に表示された指示にしたがって水道レバー状入力装置１３の操作レバー４３を押してスイッチボタン４９のオン／オフを行えばよい。
【０１１５】
この作業においても、水を正しく測れた場合には、出力再生装置４に表示されたキャラクタが、水を正しく測れたことを誉めたり、失敗した場合には、励ましたり、アドバイスしたりするようになっている。
【０１１６】
また、まな板状入力装置１４では、例えば、野菜を速く細く切るゲームを行うこともできる。このゲームは、玩具の包丁で、まな板本体５１を叩く間隔及び回数を制御回路５に入力し、このデータに基づいて野菜の切れ方及び速さを評価するものである。この場合も、入力ペン１７によりブック１０３のまな板が印刷されている部分（あるいはそれに代わるキャラクタが印刷されている部分）を指定し、出力再生装置４に表示された指示にしたがった作業を行えばよい。
【０１１７】
なお、本発明に係る音声又は画像処理システムは、前述した実施の形態の他、任意の入力装置を任意に組み合わせた仮想調理を行うことができることは勿論である。
【０１１８】
また、本実施の形態で説明した各入力装置のレイアウトは、一例であり、各入力装置としての機能を損なわない限り、このレイアウトは変更可能であることは勿論である。
【０１１９】
そしてまた、本実施の形態では、振動部が振動しても、コンロ状入力装置に載置した調理器具がずれたり、落ちたりすることを防止するため、コンロ状入力装置に凹部を設け、調理用具の底面にこの凹部に係合する凸部を設けた場合について説明したが、これに限らず、コンロ状入力装置に凸部を設け、調理用具の底面にこの凸部に係合する凹部を設けた構造としてもよく、また、他の形状の係合部と被係合部の組合わせを採用してもよい。
【符号の説明】
【０１２０】
１ 音声又は画像処理システム
２ 入力システム
３ 音声又は画像処理装置
４ 出力再生装置
５ 制御回路
６ ＲＯＭ
７ 映像回路
８ 音声回路
９ 表示装置
１０ スピーカ
１１ コンロ状入力装置
１２ 火力調節ツマミ状入力装置
１３ 水道レバー状入力装置
１４ まな板状入力装置
１５ 選択ボタン
１６ 決定ボタン
８０ フライパン
８１ 凸部
１００ 本体
１０１ 蓋部
１０２ セット部
１０３ ブック
【図１】
2010240470.tif 000003
【図２】
2010240470.tif 000004
【図３】
2010240470.tif 000005
【図４】
2010240470.tif 000006
【図５】
2010240470.tif 000007
【図６】
2010240470.tif 000008
【図７】
2010240470.tif 000009
【図８】
2010240470.tif 000010
【図９】
2010240470.tif 000011
【図１０】
2010240470.tif 000012
【図１１】
2010240470.tif 000013
【図１２】
2010240470.tif 000014
【図１３】
2010240470.tif 000015
【図１４】
2010240470.tif 000016
【図１５】
2010240470.tif 000017
【図１６】
2010240470.tif 000018
【図１７】
2010240470.tif 000019